(57)【要約】【課題】スクリーンが完全に降りるまでの間においてもメニュー調整や映像選択等の処理ができるようにする。【解決手段】スクリーン装置３とプロジェクタ１とを備えたプロジェクタシステム。スクリーン装置３は、映像が投写されるスクリーン３４と、スクリーン３４を自動的に降下させるスクリーン制御部３２及びクリーン駆動部３３とを備える。プロジェクタ１は、スクリーン３４の降下量を得る制御部２０と、入力映像信号に対して、制御部２０により得られたスクリーンの降下量に基づいてマスクをかけた合成映像信号を生成する映像信号処理部２４と、 映像信号処理部２４により生成された合成映像信号に基づいた映像を生成し、スクリーンに拡大して投写する映像投写部１１〜１４とを備える。スクリーン３４が降下する過程において、降下した分のスクリーン３４に対応して入力映像を表示させ、そして、スクリーン３４が降りきっていない領域にはマスク映像を表示させる。【選択図】図１
2008083464.tif 000002
【特許請求の範囲】
【請求項１】
スクリーン装置とプロジェクタとを備えたプロジェクタシステムであって、
前記スクリーン装置は、
映像が投写されるスクリーンと、前記スクリーンを自動的に降下させるスクリーン駆動制御部とを備え、
前記プロジェクタは、
前記スクリーンの降下量を得る制御部と、
入力映像信号に対して、前記制御部により得られた前記スクリーンの降下量に基づいてマスクをかけた合成映像信号を生成する映像信号処理部と、
前記映像信号処理部により生成された前記合成映像信号に基づいた映像を生成し、前記スクリーンに拡大して投写する映像投写部と
を備えたことを特徴とするプロジェクタシステム。
【請求項２】
前記映像信号処理部は、前記スクリーンの未降下分に対応する映像画面の入力映像信号にマスクをかけて合成映像信号を生成することを特徴とする請求項１記載のプロジェクタシステム。
【請求項３】
前記映像信号処理部は、前記入力映像信号の内、１映像画面分又は１映像画面の所定領域分の映像信号を、前記スクリーンの降下量に対応して圧縮するとともに、前記スクリーンの未降下分に対応した映像画面の入力映像信号にマスクをかけて前記合成映像信号を生成することを特徴とする請求項１記載のプロジェクタシステム。
【請求項４】
前記映像信号処理部は、前記スクリーンの降下が完了するまでの時間を表示するための映像信号を生成して前記合成映像信号に付加し、前記映像投写部を介して前記スクリーンに表示させることを特徴とする請求項１〜３の何れかに記載のプロジェクタシステム。
【請求項５】
電源オンにより、スクリーン装置に対してスクリーンを降下させる制御信号を送信させるとともに、前記スクリーン装置からスクリーンの降下量又はそれに相当する信号を受信する制御部と、
入力映像信号に対して、前記制御部により得られた前記スクリーンの降下量に基づいてマスクをかけた合成映像信号を生成する映像信号処理部と、
前記映像信号処理部により生成された前記合成映像信号に基づいた映像を生成し、前記スクリーンに拡大して投写する映像投写部と
を備えたことを特徴とするプロジェクタ。
【請求項６】
映像が投写されるスクリーンと、
前記スクリーンを自動的に降下させるスクリーン駆動制御部とを備え、
前記スクリーン駆動制御部は、プロジェクタから前記スクリーンを降下させる制御信号を受信すると、前記スクリーンを降下させるとともに、前記スクリーンの降下量を求めて前記プロジェクタに送信させることを特徴とするスクリーン装置。
【発明の詳細な説明】
【技術分野】
【０００１】
本発明は、プロジェクタ、スクリーン装置、及びそれらを備えたプロジェクタシステムに関する。
【背景技術】
【０００２】
従来、例えばプロジェクタを使ったホームシアターシステムで電動格納式のスクリーンを使う場合には、スクリーンが完全に降りきるまでに映像投写を開始すると、後ろの壁や設置してあるものに映像が映ってしまい見栄えがよくないという問題点があった。そのような問題点を解決するために、例えば「…本発明の映像投射装置では、コントローラに映像ミュート時間の設定をユーザ入力する機能を設け、電源投入時、コントローラが、スクリーンの降下をコントロールし始め、また映像信号処理回路に設定されている時間の映像ミュートを行う構成を有している。」（例えば特許文献１参照）というものが提案されており、完全にスクリーンが降りるまでの間、画面ミュートしている。
【特許文献１】特開平７−１７５４６２号公報（［０００７］、図１）
【発明の開示】
【発明が解決しようとする課題】
【０００３】
上記の特許文献１において提案されているものは、完全にスクリーンが降りるまでの間映像が表示されないのでメニュー調整や映像選択などができず、それらの処理はスクリーンが完全に降りて映像が表示されるまで待たされることになるという問題点があった。
【０００４】
本発明は、このような問題点を解決するためになされたものであり、スクリーンが完全に降りるまでの間においてもメニュー調整や映像選択等の処理ができるようにしたプロジェクタシステムを提供することを目的とする。
【課題を解決するための手段】
【０００５】
本発明に係るプロジェクタシステムは、スクリーン装置とプロジェクタとを備えたプロジェクタシステムであって、前記スクリーン装置は、映像が投写されるスクリーンと、前記スクリーンを自動的に降下させるスクリーン駆動制御部とを備え、前記プロジェクタは、前記スクリーンの降下量を得る制御部と、入力映像信号に対して、前記制御部により得られた前記スクリーンの降下量に基づいてマスクをかけた合成映像信号を生成する映像信号処理部と、前記映像信号処理部により生成された前記合成映像信号に基づいた映像を生成し、前記スクリーンに拡大して投写する映像投写部とを備えたものである。本発明においては、スクリーンが降下する過程において、降下した分のスクリーンに入力映像を表示させるようにしている。このため、スクリーンが完全に降りるまでの間においてもメニュー調整や映像選択等の処理ができるようになっている。また、スクリーンの降下量に基づいたマスクをかけた合成映像信号を生成してスクリーンに表示させるようにしているので、例えばスクリーンが降りきっていない領域には合成映像信号のマスク部分の映像が表示され、スクリーンの後ろの壁や設置してあるものに対象となる入力映像が映ってしまうような事態が避けられている。
【０００６】
また、本発明に係るプロジェクタシステムにおいて、前記映像信号処理部は、前記スクリーンの未降下分に対応する映像画面の入力映像信号にマスクをかけて合成映像信号を生成する。本発明においては、前記スクリーンの未降下分に相当する入力映像信号にマスクをかけて合成映像信号を生成してそれを表示させるようにし、スクリーンの未降下分に相当する領域、即ちスクリーンが降りきっていない領域には合成映像信号のマスク部分の映像が表示されることになり、このため、スクリーンに対する投写範囲がスクリーンの降下量に応じて下方に広がっていくことになる。したがって、スクリーンの未降下部分に相当する領域の後ろの壁や設置してあるものに入力映像が映ってしまうような事態が避けられている。
【０００７】
また、本発明に係るプロジェクタシステムにおいて、前記映像信号処理部は、前記入力映像信号の内、１映像画面分又は１映像画面の所定領域分の映像信号を、前記スクリーンの降下量に対応して圧縮するとともに、前記スクリーンの未降下分に対応した映像画面の入力映像信号にマスクをかけて前記合成映像信号を生成する。本発明においては、入力映像信号の１映像画面分又は１映像画面の所定領域分をスクリーンの降下分に対応して圧縮した映像信号を生成して表示するようにしており、このため、縮小され入力映像がスクリーンの降下量に応じて下方に拡大されていくことになる。このようにして、スクリーンの降下部分に１映像画面分又は１映像画面の所定領域分の映像が表示されることになり、初期の段階で投写されている映像が把握し易いものとなっている。
【０００８】
また、本発明に係るプロジェクタシステムにおいて、前記映像信号処理部は、前記スクリーンの降下が完了するまでの時間を表示するための映像信号を生成して前記合成映像信号に付加し、前記映像投写部を介して前記スクリーンに表示させる。本発明においては、スクリーンの降下が完了するまでの時間を表示するようにしており、待機時間を把握することができ、ユーザがスクリーンの降下を待機する際のストレスが軽減される。
【０００９】
また、本発明に係るプロジェクタは、電源オンにより、スクリーン装置に対してスクリーンを降下させる制御信号を送信させるとともに、前記スクリーン装置からスクリーンの降下量又はそれに相当する信号を受信する制制御部と、入力映像信号に対して、前記制御部により得られた前記スクリーンの降下量に基づいてマスクをかけた合成映像信号を生成する映像信号処理部と、前記映像信号処理部により生成された前記合成映像信号に基づいた映像を生成し、前記スクリーンに拡大して投写する映像投写部とを備えたものである。
【００１０】
また、本発明に係るスクリーン装置は、映像が投写されるスクリーンと、前記スクリーンを自動的に降下させるスクリーン駆動制御部とを備え、 前記スクリーン駆動制御部は、プロジェクタから前記スクリーンを降下させる制御信号を受信すると、前記スクリーンを降下させるとともに、前記スクリーンの降下量を求めて前記プロジェクタに送信させる。
【発明を実施するための最良の形態】
【００１１】
図１は、本発明の実施形態１に係るプロジェクタシステムの概略構成を示すブロック図である。このプロジェクタシステムは、外部の映像信号供給装置４から映像信号を入力し、その映像信号に応じた光学像を投写するプロジェクタ１と、そのプロジェクタ１から投写された光学像を受光して、映像を表示するスクリーン装置３とを備えている。プロジェクタ１は、光源１１と、光源１１から射出した光を変調する空間光変調装置としての３枚の液晶ライトバルブ１２Ｒ，１２Ｇ，１２Ｂ（これらを総称するときは、液晶ライトバルブ１２という）と、液晶ライトバルブ１２から射出する変調光をスクリーン３４に拡大投写する投写光学系１３と、液晶ライトバルブ１２を駆動する液晶ライトバルブ駆動部１４とを備えている。液晶ライトバルブ１２には、複数の画素（図示せず）がマトリクス状に形成されており、液晶ライトバルブ駆動部１４が、外部の映像信号供給装置４から供給される映像信号に基づいて各画素の透過率を調整することにより映像信号に応じた映像を描画してスクリーン３４に表示することができる。また、投写光学系１３には、投写光の焦点を変更可能なフォーカス機構、投写光の拡大率を変更可能なズーム機構等が備えられている（何れも図示を省略）。なお、液晶ライトバルブ１２は、上記のように、３枚の液晶ライトバルブ１２Ｒ，１２Ｇ，１２Ｂから構成され、Ｒ（赤）、Ｇ（緑），Ｂ（青）の各色光を変調する。光源１１から射出した光は、図示しない色光分離光学系によって各色光に分離された後、対応する液晶ライトバルブ１２Ｒ，１２Ｇ，１２Ｂによって変調され、合成光学系（図示せず。例えばクロスダイクロックプリズム）により合成された後に、投写光学系１３により拡大投写される。なお、上記の光源１１、液晶ライトバルブ１２、投写光学系１３及び液晶ライトバルブ駆動部１４は、本発明の映像投写部に相当する。
【００１２】
プロジェクタ１は、更に、プロジェクタ１の動作を統括制御する制御部２０、制御部２０に接続された記憶部２１、操作信号処理部２２、映像入力部２３、映像信号処理部２４、台形歪み補正処理部２５、制御信号送受信部２６及びズーム・フォーカス制御部２７ａを備えている。操作信号処理部２２には操作パネル２８が接続されており、操作信号処理部２２は、プロジェクタ１の状態変更等を行うための各種スイッチ類からなる入力操作部としての操作パネル２８やリモコンＲＣから、ユーザによる操作に応じた操作信号を受信し、これを制御部２０に出力する。制御部２０は、例えばマイクロプロセッサ等の信号処理回路により構成され、内蔵する記憶部（図示せず）又は記憶部２１に格納された制御プログラムを実行するものであり、例えば操作信号処理部２２からの操作信号に基づいて、映像信号処理部２４、台形歪み補正処理部２５、制御信号送受信部２６、フォーカス制御部２７ａ及びズーム制御部２７ｂをそれぞれ制御する。また、制御部２０に接続された記憶部２１には、上記の制御プログラムを記憶するとともに、プロジェクタ１の各種設定値等（例えメニュー映像データ、後述のマスクデータ）が記憶される。
【００１３】
映像入力部２３は、外部の映像信号供給装置４（例えばＰＣ、ビデオレコーダ、テレビジョン受信機、ＤＶＤプレーヤー）からの映像信号を取り込んで、それが例えばアナログの映像信号の場合にはデジタルの映像信号に変換する等、入力映像信号に対応した信号処理を施して映像信号処理部２４に出力する。映像信号処理部２４は、例えばマイクロプロセッサ（例えばＤＳＰ）等の信号処理回路から構成され、それに内蔵した記憶部に格納された制御プログラムを実行することにより後述の各種の処理をする。映像信号処理部２４にはフレームメモリ２９が接続されており、映像入力部２３からの映像信号を１フレーム（１映像画面）毎にフレームメモリ２９に記憶させるとともに、フレームメモリ２９に記憶された映像（以下、フレーム映像ともいう）を読み出す機能を有し、また、映像信号の解像度を液晶ライトバルブ１２の解像度に合わせる解像度変換処理等の各種の信号処理を施す。また、この映像信号処理部２４はＯＳＤ処理部２４１を備えており、制御部２０の制御命令に従って、プロジェクタ１の各種状態を表す文字や記号、画質調整を行う際のメニュー映像のＯＳＤ映像信号又はマスク映像を生成するためのマスク映像信号（詳細は後述する）をフレーム映像信号と合成する処理を行う。具体的には、制御部２０が例えば記憶部２１からメニュー映像データ等を読み出して映像信号処理部２４に供給し、映像信号処理部２４は例えばＯＳＤ映像データによりＯＳＤ映像信号を生成し、ＯＳＤ処理部２４１はこのＯＳＤ映像信号をフレーム映像信号と合成する。なお、ＯＳＤ処理部２４１がＯＳＤ処理をしない場合には、フレーム映像信号がそのまま出力されることになる。上記のＯＳＤ処理によりメニュー画像が表示されると、ユーザーは、メニュー画像に従ってプロジェクタ１の各部の機能を設定又は調整することになる。
【００１４】
台形歪み補正処理部２５は、スクリーン３４に対してプロジェクタ１を傾けた状態で投写（あおり投写）した場合に生じる台形歪を抑制するために、入力される映像信号の補正を行い、補正した映像信号を液晶ライトバルブ駆動部１４に出力する。なお、台形歪が生じていない場合には、前記の補正を行わず、映像信号処理部２４から出力される映像信号がそのまま液晶ライトバルブ駆動部１４に供給され、液晶ライトバルブ駆動部１４は、入力される映像信号に従って液晶ライトバルブ１２を駆動する。なお、本実施形態においては、台形歪み補正は手動によってなされるものであり、ユーザーがリモコンＲＣを操作して台形補正の操作信号を操作信号処理部２２が入力すると、制御部２０はその操作信号を取り込んで台形歪み補正処理部２５に台形補正処理の制御命令を出力し、台形歪み補正処理部２５は、その制御命令に基づいて映像信号処理部２４からの映像信号に台形補正（キーストン補正）処理を施し、スクリーン３４上に表示される映像の台形歪みを補正する。
【００１５】
フォーカス制御部２７ａは、制御部２０からの指示に従って投写光学系１３のフォーカス機構を駆動する。具体的には、投写光学系１３を構成するフォーカスレンズを光軸方向に移動させることにより、フォーカス状態を調整することが可能になっている。また、フォーカス制御部２７ａは、フォーカスの調整量、即ちフォーカスレンズの移動量（フォーカス量）を検知することも可能になっており、検知したフォーカス量を制御部２０に出力することができる。フォーカス量を検知する方法としては、フォーカスレンズを光軸方向に移動させるための回転カム機構（図示せず）の回転量を検出するロータリエンコーダやポテンショメータ等の検知機構を用いることができる。或いは、フォーカス機構の駆動源であるステッピングモータのステップ数に基づいてフォーカス量を検知するようにしてもよい。
【００１６】
ズーム制御部２７ｂは、制御部２０からの指示に従って投写光学系１３のズーム機構を駆動する。具体的には、投写光学系１３を構成するズームレンズを光軸方向に移動させて焦点距離を変更することにより、スクリーン３４に表示される映像の拡大率を変更することが可能になっている。また、ズーム制御部２７ｂは、焦点距離、即ちズームレンズの移動量（ズーム量）を検知するズーム量検知部としても機能し、検知されたズーム量を制御部２０に出力することができる。ズーム量を検知する方法としては、フォーカス量を検知する方法と同様、ズームレンズを光軸方向に移動させるための回転カム機構（図示せず）の回転量を検出するロータリエンコーダやポテンショメータ等の検知機構によって検知してもよいし、ズーム機構の駆動源であるステッピングモータのステップ数に基づいて検知するようにしてもよい。
【００１７】
制御信号送受信部２６は、赤外線通信やブルートゥース（Bluetooth：登録商標）、微弱無線通信等の無線通信を用いて信号の送信が可能になっており、制御部２０は、スクリーン装置３に対する各種指示を表す制御命令を、制御信号送受信部２６を介してスクリーン装置３に送信することができる。
【００１８】
一方、スクリーン装置３は、制御信号送受信部３１、スクリーン制御部３２、スクリーン駆動部３３及びスクリーン３４を備えており、プロジェクタ１から投写された光学像を受光してスクリーン３４に映像を表示する。なお、このスクリーン３４は、例えば壁の上方に設置され、使用しない状態においては巻回されて収納され、使用時にはその巻回を解いて降下されることにより展開されて使用される。制御信号送受信部３１は、プロジェクタ１の制御信号送受信部２６から無線通信によって送信される制御命令等を受信して、受信信号をスクリーン制御部３２に出力する。スクリーン制御部３２はその受信信号に基づいて制御信号を生成してスクリーン駆動部３３に出力し、スクリーン駆動部３３はその制御信号により例えば巻回されて収納状態にあるスクリーン３４を降下させたり、或いは、降下した状態のスクリーン３４を巻き上げる収納処理を行う。なお、上記のスクリーン制御部３２及びスクリーン駆動部３３は本発明のスクリーン駆動制御部を構成している。
【００１９】
次に、本実施形態に係るプロジェクタシステムの動作を説明する。
図２はその動作を示すフローチャートである。
制御部２０は、操作パネル２８又はリモコンＲＣの操作により電源がオンになり、それを検出すると（Ｓ１１）、制御信号送受信部２６を介してスクリーン３４を降下させる制御命令をスクリーン装置３に送信する。スクリーン装置３は、制御信号送受信部３１が制御信号送受信部２６からの制御命令を受信すると、その制御命令をスクリーン制御部３２に出力する。スクリーン制御部３２はその制御命令に基づいてスクリーン駆動部３３に、例えば巻回されて収納状態にあるスクリーン３４の降下を開始させる（Ｓ１２）。このとき、映像入力部２３は映像信号供給装置４からの映像信号を取り込んで所定の処理をした後に、映像信号処理部２４に出力しており、映像信号処理部２４はフレームメモリ２９を利用してフレーム映像を生成するが、制御部２０に制御命令により、ＯＳＤ処理部２４１がフレーム映像の全面にＯＳＤ処理によってマスク（例えば黒色等）をかけた状態の映像信号を生成し、台形歪み補正処理部２５を介して液晶ライトバルブ駆動部１４に出力し、液晶ライトバルブ駆動部１４は液晶ライトバルブ１２にマスク映像を描画し、そのマスク映像を投写光学系１３により拡大してスクリーン３４側に投写する（Ｓ１３）。この状態では、まだ、スクリーン３４が降下を開始したばかりであり、表示される映像は全てがマスク映像となっている。このため、実質的には入力映像が表示されていない状態になっており、例えばスクリーン３４の後ろの壁や設置してあるものに映像が映ってしまうような事態が避けられる。
【００２０】
制御部２０は、スクリーン３４の降下量を求める（Ｓ１４）。このスクリーン３４の降下量は、例えばスクリーン３４の降下速度が一定であるとすると、スクリーン３４を降下させる制御命令を送信した後に、その後の経過時間を計測することにより求めることができる。この場合には、経過時間と降下量との関係は予め記憶部２１に記憶させておくものとする。或いは、スクリーン制御部３２がスクリーン駆動部３３を構成するモータ（図示せず）の回転数を検出し、それを制御部２０が制御信号送受信部３１、制御信号送受信部２６を介して取り込んでスクリーン３４の降下量を求めるようにしてもよい。制御部２０はスクリーン３４の降下量を求めると、その降下量の情報を映像信号処理部２４に出力する。映像信号処理部２４は、映像入力部２３を介して入力された映像信号をフレームメモリ２９に書き込むとともにそれを読み出してフレーム映像を生成し、ＯＳＤ処理部２４１はそのフレーム映像信号に対してマスクをかける処理を行う。そのマスクをかける領域は、スクリーン３４の降下量に応じてその範囲を順次下げて縮小する。このようにしてフレーム映像信号にマスクがかけられた合成画像信号を生成し、その合成映像信号を台形歪み補正処理部２５を介して液晶ライトバルブ駆動部１４に出力し、液晶ライトバルブ駆動部１４は液晶ライトバルブ１２に合成映像を描画し、その合成映像を投写光学系１３により拡大してスクリーン３４側に投写する（Ｓ１５）。このような処理（Ｓ１４、Ｓ１５）をスクリーン３４が完全に降下するまで繰り返す（Ｓ１６）。
【００２１】
図３（ａ）（ｂ）はスクリーン３４に投写される映像を示した説明図である。スクリーン３４の降下中においてはスクリーン３４の降下部分に入力映像３５が表示され、スクリーン３４の下端部よりも下の部分にはマスク映像３６が表示される（図３（ａ））。そして、スクリーン３４の降下に伴って、入力映像３５の表示領域が下方に拡大され、マスク映像３６の表示領域が縮小され、スクリーン３４の降下が終了した段階では、入力映像３５がスクリーン３４の全面に表示される（図３（ｂ））。
【００２２】
なお、上記の説明においては、映像信号処理部２４がフレーム映像を作成した後に、ＯＳＤ処理部２４１がＯＳＤ処理によりそのフレーム映像にマスクをかけるようにするものとして説明したが、映像信号処理部２４がフレームメモリ２９に映像信号を書き込む前の段階で、ＯＳＤ処理部２４１がＯＳＤ処理により映像信号にマスクをかけ、そのＯＳＤ処理された映像信号をフレームメモリ２９に書き込んでフレーム映像を生成するようにしてもよい。
【００２３】
以上のように本実施形態１においては、スクリーン３４が降下する過程において、降下した分のスクリーン３４に入力映像を表示させるようにしている。このため、スクリーン３４が完全に降りるまでの間においてもメニュー調整や映像選択等の処理ができるようになっている。また、スクリーン３４の降下量に基づいてマスクをかけた合成映像信号を生成してスクリーン３４に表示させるようにしており、スクリーン３４が降りきっていない領域には合成映像信号のマスク部分の映像（マスク映像）が表示される。このようにしてスクリーンに対する投写範囲がスクリーンの降下量に応じて下方に広がっていくことになる。このため、スクリーン３４の後ろの壁や設置してあるものに対象となる入力映像が映ってしまうような事態が避けられている。
【００２４】
実施形態２．
上記の実施形態１においては、スクリーン３４の降下部分に入力映像３５の一部がそのまま表示される例について説明したが、スクリーン３４の降下部分に圧縮した入力映像３５を表示する例を実施形態２として説明する。
【００２５】
図４は本実施形態２に係るプロジェクタシステムの動作をフローチャートである。
図４のフローチャートにおいては、処理（Ｓ１４ａ）を除くと他は同一であることから、以下の説明では相違部分を中心に説明する。
制御部２０は、スクリーン３４の降下量を求めると（Ｓ１４）、その降下量を映像信号処理部２４に出力する。映像信号処理部２４は、スクリーン３４の降下量に応じて入力映像信号を圧縮（この例では縦方向に圧縮）して例えば１映像画面分の映像をスクリーン３４の降下した部分に投写できるようにする（Ｓ１４ａ）。このときの圧縮処理は、フレームメモリ２９に映像信号を書き込む際に行ったり、或いは、フレームメモリ２９の映像信号を読み出した後で行うようにしてもよい。そして、制御部２０はスクリーン３４の降下量に応じたマスク映像信号を生成し、ＯＳＤ処理部２４１が圧縮処理された映像信号とマスク映像信号とを合成して、その合成映像信号を台形歪み補正処理部２５を介して液晶ライトバルブ駆動部１４に出力し、液晶ライトバルブ駆動部１４は液晶ライトバルブ１２に合成映像を描画し、その合成映像を投写光学系１３により拡大してスクリーン３４側に投写する（Ｓ１５）。このような処理（Ｓ１４、Ｓ１４ａ、Ｓ１５）をスクリーン３４が完全に降下するまで繰り返す（Ｓ１６）。
【００２６】
図５（ａ）（ｂ）はスクリーン３４に投写される映像を示した説明図である。スクリーン３４の降下中においてはスクリーン３４の降下部分に入力映像３５が縦方向に圧縮された状態で１映像画面分が表示され、スクリーン３４の下端部よりも下の部分にはマスク映像３６が表示される（図５（ａ））。そして、スクリーン３４の降下に伴って、入力映像３５の表示領域が下方に拡大され、それに伴って入力映像３５の縦方向の圧縮率も低下し、また、マスク映像３６の表示領域が縮小され、スクリーン３４の降下が終了した段階では、入力映像３５が圧縮されない状態でスクリーン３４の全面に表示される（図５（ｂ））。
【００２７】
以上のように本実施形態においては、映像信号処理部２４は、入力映像信号の１映像画面分を、スクリーン３４の降下量に対応して圧縮する（降下量小のとき圧縮率大）とともに、スクリーン３４の未降下分に相当する領域にマスクをかけた合成映像信号を生成して表示するようにしており、縮小された入力映像がスクリーンの降下量に応じて下方に拡大されていくことになる。このようにして、スクリーンの降下部分に１映像画面分の映像が表示されることになり、初期の段階で投写されている映像が把握し易いものとなっている。なお、上記の説明においては、１映像画面分の映像信号を圧縮する例について説明したが１映像画面の内、所定の領域部分について圧縮するようにしてもよい。例えば、初期の段階では１映像画面分の例えば１／２の領域の映像信号を圧縮し、スクリーン３４の降下量が１／２を超えると１映像画面分の映像信号を圧縮するようにする等の各種の圧縮方法が考えられる。
【００２８】
実施形態３．
図６は本発明の実施形態３の説明図である。本実施形態３においては、スクリーン３４表示画面に、スクリーン３４の降下状態を示したスケール３７を表示している。このスケール３７では全体の枠に対して降下割合を例えばマスク映像の色以外の色で表示することにより、この後どの程度の時間でスクリーン３４が降りるかを把握することができる。このスケール３７の映像は、映像信号処理部２４のＯＳＤ処理部２４１によってその映像信号が生成される。このように、スクリーン３４が降りるのを待つのに際してスクリーン３４の降下状態をユーザーが把握できるので、待機する際に受けるストレスが少なくなる。なお、この実施形態３においてはスケール３７によりスクリーン３４の降下状態を示しているが、砂時計、数値表示等によって残り時間を表示するようにしてもよい。
【００２９】
実施形態４．  
また、図１の映像信号供給装置４として例えばＤＶＤプレーヤーが使用されている場合に、制御部２０がスクリーン３４の降下終了を検出すると、スクリーン３４の降下を終了させるとともに、映像信号供給装置４に対してＤＶＤに録画されている本編を起動させるような操作信号を送信して、スクリーン３４の降下を終了と同時に本編の映像をスクリーン３４に投写させることもできる。このような場合には、制御部２０は、ＤＶＤプレーヤーのリモコンの操作信号と同様な操作信号を生成して制御信号送受信部２６から映像信号供給装置４に送信させることにより該当する映像信号を取り込む。本実施形態においては、このように、スクリーン３４の降下が完了した時点で所望の映像をスクリーン３４に表示させるようにしており、このため使い勝手のよいものとなっている。
【００３０】
なお、上記の実施形態１〜３では、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを映像データに基づいて制御することによって映像を投写するＤＭＤ（Digital Micro Mirror Device：登録商標）を用いてもよい。また、プロジェクタ１とスクリーン装置３との間の信号の授受を無線にて行う例について説明したが、有線によって行うようにしてもよい。
【図面の簡単な説明】
【００３１】
【図１】実施形態１に係るプロジェクタシステムの概略構成を示すブロック図。
【図２】実施形態１に係るプロジェクタシステムの動作を示すフローチャート。
【図３】スクリーンに投写される映像を示した説明図。
【図４】本実施形態２に係るプロジェクタシステムの動作を示すフローチャート。
【図５】スクリーンに投写される映像を示した説明図。
【図６】実施形態３の説明図。
【符号の説明】
【００３２】
１１ 光源、１２ 液晶ライトバルブ、１３ 投写光学系、１４ 液晶ライトバルブ駆動部、２０ 制御部、２１ 記憶部、２２ 操作信号処理部、２３ 映像入力部、２４ 映像信号処理部、２５ 台形歪み補正処理部、２６ 制御信号送受信部、２７ａ フォーカス制御部、２７ｂ ズーム制御部、２８ 操作パネル、２９ フレームメモリ、３１ 制御信号送受信部、３２ スクリーン制御部、３３ スクリーン駆動部、３４ スクリーン。
【図１】
2008083464.tif 000003
【図２】
2008083464.tif 000004
【図３】
2008083464.tif 000005
【図４】
2008083464.tif 000006
【図５】
2008083464.tif 000007
【図６】
2008083464.tif 000008